(57)【要約】【課題】特定記番号として登録されていない記番号の紙幣をコピー券として検出する。【解決手段】本発明は、紙幣の計数、集積部への集積及び整理をする紙幣施封整理装置及び紙幣施封整理方法である。本発明は、コピー券とされる特定記番号を事前に登録しておく記番号データ格納手段と、事前に登録された前記特定記番号と鑑別される紙幣の記番号とが一致するか否かによりコピー券か否かを判別する鑑別手段と、当該鑑別手段による前記記番号を含む鑑別結果を格納する一時退避格納手段と、当該一時退避格納手段に格納した前記記番号を含む鑑別結果を前記記番号データ格納手段に格納して次の鑑別に用いる鑑別結果格納手段とを備えた。【選択図】      図１
2014186637.tif 000002
【特許請求の範囲】
【請求項１】
紙幣を計数し、その計数した紙幣を集積部に集積し、設定した枚数ごとに施封して整理する紙幣施封整理装置において、
コピー券とされる特定記番号を事前に登録しておく記番号データ格納手段と、
事前に登録された前記特定記番号と鑑別される紙幣の記番号とが一致するか否かによりコピー券か否かを判別する鑑別手段と、
当該鑑別手段による前記記番号を含む鑑別結果を格納する一時退避格納手段と、
当該一時退避格納手段に格納した前記記番号を含む鑑別結果を前記記番号データ格納手段に格納して次の鑑別に用いる鑑別結果格納手段と
を備えて構成されたことを特徴とする紙幣施封整理装置。
【請求項２】
請求項１に記載の紙幣施封整理装置において、
前記コピー券を検出したときコピー券検出を知らせる警告手段と、
前記コピー券と判別した紙幣の記番号／金種／集積場所／集積の上からＮ枚目の情報を画面に表示してコピー券の所在の検索を容易にする表示手段と
をさらに備えたことを特徴とする紙幣施封整理装置。
【請求項３】
請求項１に記載の紙幣施封整理装置において、
紙幣の集積先が一時集積庫かポケット部かを判定する判定手段と、
紙幣の集積先が一時集積庫と判定された場合、施封完了時に施封束毎の施封通番及び施封日時と一時集積庫の紙幣の金種及び記番号の情報を、一取引計数の施封部の記番号データ格納手段に格納して次の鑑別に用いる一時集積庫鑑別処理手段と、
前記紙幣の集積先がポケット部と判定された場合、抜き取られたポケット部の紙幣の金種及び記番号の情報を一取引計数のポケット部の記番号データ格納手段に格納して次の鑑別に用いるポケット部鑑別処理手段と
をさらに備えたことを特徴とする紙幣施封整理装置。
【請求項４】
請求項３に記載の紙幣施封整理装置において、
前記一時集積庫の紙幣の集積枚数が１００枚に到達したとき前記一時集積庫鑑別処理手段を用いて鑑別を行い、
前記ポケット部の紙幣が指定枚数に到達して抜き取られたとき前記ポケット部鑑別処理手段を用いて鑑別を行う
ことを特徴とする紙幣施封整理装置。
【請求項５】
請求項３又は４に記載の紙幣施封整理装置において、
計数業務完了後、一取引計数の施封部の記番号データ格納手段と、一取引計数のポケット部の記番号データ格納手段のエリア内全てを検索して、同一記番号があるか否かを判定することを特徴とする紙幣施封整理装置。
【請求項６】
請求項１乃至５のいずれか１項に記載の紙幣施封整理装置において、
前記一時退避格納手段に格納した前記記番号を含む鑑別結果を前記記番号データ格納手段に格納して次の鑑別に用いるコピー券検出機能を作動させるか否か、及び前記一時集積庫鑑別処理手段及びポケット部鑑別処理手段をさらに用いるコピー券検出機能を作動させるか否かを適宜選択して、業務の処理時間優先モードとコピー券検出優先モードとを切り替える選択手段を備えたことを特徴とする紙幣施封整理装置。
【請求項７】
紙幣を計数し、その計数した紙幣を集積部に集積し、設定した枚数ごとに施封して整理する紙幣施封整理方法において、
記番号データ格納手段に、コピー券とされる特定記番号を事前に登録しておき、
鑑別手段が、事前に登録された前記特定記番号と鑑別される紙幣の記番号とが一致するか否かによりコピー券か否かを判別し、
一時退避格納手段が、前記鑑別手段による前記記番号を含む鑑別結果を格納し、
鑑別結果格納手段が、前記一時退避格納手段に格納した前記記番号を含む鑑別結果を前記記番号データ格納手段に格納して次の鑑別に用いることを特徴とする紙幣施封整理方法。
【請求項８】
請求項７に記載の紙幣施封整理方法において、
前記コピー券を検出したとき警告手段でコピー券検出を知らせ、
前記コピー券と判別した紙幣の記番号／金種／集積場所／集積の上からＮ枚目の情報を表示手段に画面に表示して、コピー券の所在の検索を容易にすることを特徴とする紙幣施封整理方法。
【請求項９】
請求項７に記載の紙幣施封整理方法において、
判定手段で、紙幣の集積先が一時集積庫かポケット部かを判定し、
紙幣の集積先が一時集積庫と判定された場合、一時集積庫鑑別処理手段で、施封完了時に施封束毎の施封通番及び施封日時と一時集積庫の紙幣の金種及び記番号の情報を、一取引計数の施封部の記番号データ格納手段に格納して次の鑑別に用い、
前記紙幣の集積先がポケット部と判定された場合、ポケット部鑑別処理手段で、抜き取られたポケット部の紙幣の金種及び記番号の情報を一取引計数のポケット部の記番号データ格納手段に格納して次の鑑別に用いることを特徴とする紙幣施封整理方法。
【請求項１０】
請求項９に記載の紙幣施封整理方法において、
前記一時集積庫の紙幣の集積枚数が１００枚に到達したとき前記一時集積庫鑑別処理手段を用いて鑑別を行い、
前記ポケット部の紙幣が指定枚数に到達して抜き取られたとき前記ポケット部鑑別処理手段を用いて鑑別を行う
ことを特徴とする紙幣施封整理方法。
【請求項１１】
請求項９又は１０に記載の紙幣施封整理装置において、
計数業務完了後、一取引計数の施封部の記番号データ格納手段と、一取引計数のポケット部の記番号データ格納手段のエリア内全てを検索して、同一記番号があるか否かを判定することを特徴とする紙幣施封整理方法。
【請求項１２】
請求項７乃至１１のいずれか１項に記載の紙幣施封整理方法において、
前記一時退避格納手段に格納した前記記番号を含む鑑別結果を前記記番号データ格納手段に格納して次の鑑別に用いるコピー券検出機能を作動させるか否か、及び前記一時集積庫鑑別処理手段及びポケット部鑑別処理手段をさらに用いるコピー券検出機能を作動させるか否かを適宜選択して、業務の処理時間優先モードとコピー券検出優先モードとを切り替えることを特徴とする紙幣施封整理方法。
【発明の詳細な説明】
【技術分野】
【０００１】
この発明は、紙幣を鑑別し、その鑑別結果を元に指定された集積部に集積して、設定した枚数ごとに施封または、整理する紙幣施封整理装置及び紙幣施封整理方法に関するものである。
【背景技術】
【０００２】
従来のこの種の装置では、紙幣を投入する投入部と、投入した紙幣を搬送する搬送部と、紙幣の金種や正損や記番号等の鑑別を行う鑑別部と、紙幣を集積する複数の一時集積部と、所定の枚数の紙幣を施封する施封部と、一時集積部から施封部へ所定枚数の紙幣を移送する移送部とを有する。
【０００３】
施封部では、紙幣を移送されたままの状態で結束して装置外へ排出する。さらに、タッチパネル機能付きの表示部及びリジェクト部を有する。タッチパネル機能付きの表示部では、搬送状態等の表示や、計数・整理する紙幣等の各種設定を行う。リジェクト部では、オペレータが集積した紙幣を直接取り出せる機構を持つポケット部や鑑別部で集積不可（偽券等）と鑑別した紙幣等が集積される。また、ポケット部を偽券／特定記番号券の搬送先として指定することを可能とする。
【０００４】
このような紙幣施封整理装置の例としては特許文献１に記載の装置がある。
【先行技術文献】
【特許文献】
【０００５】
【特許文献１】特開２０１１−１１３１５２号公報
【発明の概要】
【発明が解決しようとする課題】
【０００６】
上述した従来の技術においては、鑑別部で特定記番号（コピー券とされる記番号であって、事前に装置に登録しておいた記番号）と一致する紙幣は、コピー券として指定集積先に搬送して、警告メッセージをタッチパネルの画面に表示してオペレータに知らせることが可能である。
【０００７】
しかしながら、特定記番号に登録されていない紙幣は、真紙幣として施封されたり、整理済み紙幣として扱われたりするという問題がある。
【課題を解決するための手段】
【０００８】
本発明の紙幣施封整理装置は、上述した課題を解決するためになされたもので、紙幣を計数し、その計数した紙幣を集積部に集積し、設定した枚数ごとに施封して整理する紙幣施封整理装置において、コピー券とされる特定記番号を事前に登録しておく記番号データ格納手段と、事前に登録された前記特定記番号と鑑別される紙幣の記番号とが一致するか否かによりコピー券か否かを判別する鑑別手段と、  当該鑑別手段による前記記番号を含む鑑別結果を格納する一時退避格納手段と、当該一時退避格納手段に格納した前記記番号を含む鑑別結果を前記記番号データ格納手段に格納して次の鑑別に用いる鑑別結果格納手段と備えて構成されたことを特徴とする。
【０００９】
また、本発明の紙幣施封整理方法は、紙幣を計数し、その計数した紙幣を集積部に集積し、設定した枚数ごとに施封して整理する紙幣施封整理方法において、記番号データ格納手段に、コピー券とされる特定記番号を事前に登録しておき、査手段が、事前に登録された前記特定記番号と鑑別される紙幣の記番号とが一致するか否かによりコピー券か否かを判別し、一時退避格納手段が、前記鑑別手段による前記記番号を含む鑑別結果を格納し、鑑別結果格納手段が、前記一時退避格納手段に格納した前記記番号を含む鑑別結果を前記記番号データ格納手段に格納して次の鑑別に用いることを特徴とする。
【発明の効果】
【００１０】
上述の構成により、特定記番号として装置に登録されていない記番号でも、同一の記番号が存在した場合に、それをコピー券として検出することが可能となる。
【図面の簡単な説明】
【００１１】
【図１】本発明の第１実施形態に係る紙幣施封整理装置の外観を示す斜視図である。
【図２】本発明の第１実施形態に係る紙幣施封整理装置の操作部を示す拡大図である。
【図３】本発明の第１実施形態に係る紙幣施封整理装置の内部構造を示す概略側面図である。
【図４】第１実施形態に係る紙幣施封整理装置の施封部の紙幣結束機構を示す概略側面図である。
【図５】第１実施形態に係る紙幣施封整理装置のコピー券の検出処理動作を示すフローチャートである。
【図６】第１実施形態に係る紙幣施封整理装置の記番号データ格納バッファを示す模式図である。
【図７】第２実施形態に係る紙幣施封整理装置のコピー券の検出処理動作を示すフローチャートである。
【図８】第２実施形態に係る紙幣施封整理装置の計数業務完了後の偽紙幣検索処理動作を示すフローチャートである。
【図９】第２実施形態に係る紙幣施封整理装置の記番号データ格納バッファを示す模式図である。
【発明を実施するための形態】
【００１２】
以下、本発明の実施形態について図面を参照しながら詳細に説明する。
【００１３】
[第１実施形態]
（Ａ−１）紙幣施封整理装置の構成
本実施形態の紙幣施封整理装置は、紙幣を計数し、その計数した紙幣を集積部に集積し、設定した枚数ごとに施封して整理するための装置である。
【００１４】
先ず、紙幣施封整理装置の全体構成を説明する。図１は本発明の第１実施形態に係る紙幣施封整理装置の外観を示す斜視図、図２は本発明の第１実施形態に係る紙幣施封整理装置の操作部を示す拡大図、図３は本発明の第１実施形態に係る紙幣施封整理装置の内部構造を示す概略側面図、図４は第１実施形態に係る紙幣施封整理装置の施封部の紙幣結束機構を示す概略側面図である。
【００１５】
図１、３において１は紙幣Ｍ（図４参照）の投入部である。投入部１は、紙幣施封整理装置１００の正面上部に設けられている。２は紙幣Ｍの真偽、金種、表裏等の鑑別、及び計数を行うと共に、搬送異常の検出を行う鑑別部である。この鑑別部２は、事前に登録された特定記番号と鑑別される紙幣の記番号とが一致するか否かによりコピー券か否かを判別する鑑別手段を構成する。鑑別部２は、紙幣施封整理装置１００内に設けられている。４は紙幣Ｍの表裏反転を行う表裏反転部である。表裏反転部４は、紙幣施封整理装置１００内の鑑別部２の後段（下流側）に位置するように設けられている。
【００１６】
５は結束対象外の金種の紙幣Ｍを集積するオープンポケットである。オープンポケット５は、紙幣施封整理装置１００の上面に設けられており、搬送路３で表裏反転部４に接続されている。このオープンポケット５に集積された紙幣Ｍは、オペレータが直接的にアクセスできるものとなっている。
【００１７】
６は集積機構である。集積機構６は、本実施形態においては５段に構成されている。即ち、この集積機構６には、縦１列に５個の集積部（以後、一時集積部とする）６ａ〜６ｅを並べて紙幣施封整理装置１００内に設けられている。その一時集積部６ａ〜６ｅには、それぞれ予め定められた枚数、例えば本実施形態では１００枚の紙幣Ｍが集積できるようになっている。
【００１８】
７は前記投入部１の右側に設けられた操作部である。この操作部７には、図２に示すように、紙幣Ｍの計数を指示する計数開始ボタン７ａ、計数及び結束処理の完了を指示する完了ボタン７ｂ、紙幣施封整理装置１００の障害復旧時等に再稼動させるためのリセットボタン７ｃが設けられている。また、状態表示ランプ７ｄも設けられている。状態表示ランプ７ｄは、稼動時は緑色、アラーム時には赤色に発光する。
【００１９】
図１、３中の８は、鑑別部２で金種不明と鑑別されたり、搬送異常が検知されたりしたリジェクト紙幣Ｍを集積するリジェクトポケットである。リジェクトポケット８は、前記投入部１の上方に設けられている。このリジェクトポケット８に集積されたリジェクト紙幣Ｍに対しては、オペレータが直接的にアクセスできるものとなっている。
【００２０】
９は一時集積部６ａ〜６ｅに集積した一定枚数の紙幣Ｍを後述する紙幣結束機構１０に移送するための移送機構である。移送機構９には、紙幣Ｍをクランプする紙幣クランプ部３０が設けられている。
【００２１】
１０は移送された紙幣を結束する施封部の結束部としての紙幣結束機構である。この紙幣結束機構１０については後述する。１１は紙幣束の放出口である。１２は紙幣施封整理装置１００の正面に設けられた扉である。この扉１２を開けることで、オペレータは集積機構６にアクセスできるものになっている。
【００２２】
１３は紙幣施封整理装置１００上面においてオープンポケット５の後方に位置するように設けられた操作表示部である。操作表示部１３は、ＬＣＤとその表面に配置したタッチパネルによって構成されている。オペレータは、この操作表示部１３を操作して、動作モードの指定や、一時集積部６ａ〜６ｅに集積する紙幣Ｍの金種、集積順序等の設定を行う。また、この操作表示部１３には、鑑別部２で鑑別された紙幣Ｍの金種や正損及び計数結果等の表示も行われる。さらに、操作表示部１３は、表示手段及び警告手段としての機能も備えている。表示手段としては、コピー券と判別した紙幣の記番号／金種／集積場所／集積の上からＮ枚目の情報を画面に表示する。これにより、オペレータによるコピー券の所在の検索を容易にする。警告手段としては、コピー券である偽紙幣を検出したとき、警告メッセージを表示して、コピー券検出をオペレータに知らせる。また、操作表示部１３には、必要に応じて、警報音を発するスピーカが備えられる。
【００２３】
さらに、紙幣施封整理装置１００内には、前記鑑別部２、表裏反転部４、集積機構６等の全体を制御する制御部１５が設けられている。さらにこの制御部１５には、図５のフローチャートの処理機能が格納されている。制御部１５は、一時退避格納手段に格納した記番号を含む鑑別結果を記番号データ格納手段に格納して次の鑑別に用いる鑑別結果格納手段としての機能も格納されている。また、制御部１５内には、一時退避格納手段及び記番号データ格納手段が格納されている。具体的には、制御部１５は、メモリ（図示せず）を備えている。このメモリは、一時退避バッファ及び記番号データ格納バッファを構成している。一時退避バッファは、鑑別手段としての鑑別部２による記番号を含む鑑別結果を格納する一時退避格納手段である。記番号データ格納バッファは、コピー券とされる特定記番号を事前に登録しておく記番号データ格納手段である。
【００２４】
図４は第１実施形態に係る紙幣施封整理装置の施封部の紙幣結束機構を示す概略側面図である。
【００２５】
施封部は紙幣束を施封するための装置であり、この施封部に結束部としての紙幣結束機構１０が組み込まれている。この紙幣結束機構１０は、図４に示すように、ローラ及びベルト等から成る搬送手段４０と、紙テープ等による結束用のテープ４１と、印字手段４２と、テープ４１を供給するテープ供給手段４３と、テープ４１を所定の長さに切断するカッタ４４と、テープ４１を紙幣Ｍの束に巻きつけて結束する、図示しない結束手段とを備えている。なお、搬送手段４０を構成するローラ及びベルトは、昇降手段（図示せず）により矢印Ｈ方向に昇降可能となっている。これにより、搬送手段４０は、施封する紙幣Ｍの枚数が変更となった場合でも、昇降手段によりローラ及びベルトを昇降させることで、紙幣Ｍの束を搬送可能に構成されている。このように構成された紙幣結束機構１０は、施封動作により以下のように紙幣Ｍを結束する。
【００２６】
まず、搬送手段４０が移送機構９の紙幣クランプ部３０から１００枚の紙幣Ｍを一括して受け取り（矢印Ｉ）、ローラ及びベルトを矢印Ｊ方向に回転させ、紙幣Ｍの束を矢印Ｋ方向に移動させ、結束位置まで搬送する。
【００２７】
続けて、テープ供給手段４３はテープ４１を矢印Ｌ方向に供給する。図示しない結束手段は紙幣Ｍに施封する。その際、印字手段４２はテープ４１にて結束する紙幣Ｍの情報を、インクリボンを介して印字する。印字されたテープ４１は所定の長さにカッタ４４で切断される。結束手段は、切断されたテープ４１ａを、結束位置に搬送された１００枚の紙幣Ｍに巻きかけて結束することにより紙幣束を作る。こうして作られた紙幣束は、更に搬送手段４０により矢印Ｎ方向に搬送され、放出口１１に送られる。
【００２８】
この紙幣結束機構１０を用いて複数枚の紙幣を結束すると共に、コピー券の検出処理が行われる。
【００２９】
（Ａ−２）紙幣施封整理方法
次に、前記構成の紙幣施封整理装置１００を用いた紙幣施封整理方法について説明する。具体的には、この紙幣施封整理方法におけるコピー券の検出処理動作を、制御部１５に組み込まれた処理機能である、図５のフローチャートを用いて説明する。
【００３０】
オペレータは、操作表示部１３より、施封する券種（金種／汚損レベル／特定記番号等）と整理する券種の集積先を設定する。次に、紙幣を投入部１にセットし、操作部７の計数開始ボタン７ａを押下する。
【００３１】
これにより、制御部１５が計数を開始する（Ｆ４０１）。
【００３２】
計数開始により、取り込まれた紙幣が鑑別部２を通過した際に、鑑別部２でその紙幣の券種等が鑑別される。制御部１５は、その鑑別結果を受信して、指定された券種の集積先を決定する（Ｆ４０２）。
【００３３】
次いで、鑑別部２の受信結果から、鑑別部２で読み込んだ集積先、記番号、金種を一時退避バッファに格納する（Ｆ４０３）。
【００３４】
そして、一時退避バッファの集積先の記番号と同一の記番号が、集積部毎の記番号データ格納バッファ（図６（イ）（ロ））中の同じ集積先のエリア内にないかをチェックし（Ｆ４０４）、同一記番号があるか否か判定する（Ｆ４０５）。ここで、同一記番号があると判定した場合は、紙幣の集積先を偽紙幣の集積部（リジェクト部またはコピー券集積先）へ変えて搬送先を変える（Ｆ４０６）。
【００３５】
次いで、装置での計数動作を中断して（Ｆ４０７）、操作表示部１３の画面にコピー券検出の警告メッセージを表示する。（Ｆ４０８）。この警告メッセージの内容には、図５に示すように、コピー券の記番号／金種／集積部／集積上からＮ枚目の情報が含まれる。この警告メッセージを表示して動作を終了する。
【００３６】
一方、Ｆ４０５において、同一記番号がないと判定した場合は、一時退避バッファのデータを、集積部毎の記番号データ格納バッファ（図６（イ）（ロ））の集積枚数目へ記録して（Ｆ４０９）、Ｆ４０２へ戻り、前記処理を繰り返して、計数動作を継続する。
【００３７】
これにより、コピー券として事前に装置に登録されている特定記番号と共に、新しい紙幣の鑑別毎に増える記番号等のデータも用いて、同一記番号があるか否か判定する。
【００３８】
（Ａ−３）効果
以上説明したように、第１実施形態によれば、特定記番号として装置に登録されていない記番号の紙幣でも、同一の記番号が存在した場合に、その紙幣を、真紙幣として施封されたり整理済み紙幣として扱われたりすることなく、コピー券として検出することが可能となる。
【００３９】
また、コピー券の記番号／金種／集積場所／集積の上からＮ枚目の情報を操作表示部１３の画面に表示することで、オペレータがコピー券の所在を検索するのが容易になる。
【００４０】
[第２実施形態]
次に、本発明の第２実施形態に係る紙幣施封整理装置及び紙幣施封整理方法について説明する。
【００４１】
（Ｂ−１）紙幣施封整理装置の構成
本実施形態の紙幣施封整理装置の全体構成は、上述した第１実施形態の紙幣施封整理装置と同様であるため、ここでは、紙幣施封整理装置の構成の説明を省略して、本実施形態に係る発明の特徴部分を中心に説明する。
【００４２】
本実施形態では、制御部１５に、紙幣の集積先が一時集積庫かポケット部かを判定する判定手段と、紙幣の集積先が一時集積庫と判定された場合、施封完了時に施封束毎の施封通番及び施封日時と一時集積庫の紙幣の金種及び記番号の情報を、一取引計数の施封部の記番号データ格納手段に格納して次の鑑別に用いる一時集積庫鑑別処理手段と、前記紙幣の集積先がポケット部と判定された場合、抜き取られたポケット部の紙幣の金種及び記番号の情報を一取引計数のポケット部の記番号データ格納手段に格納して次の鑑別に用いるポケット部鑑別処理手段としての処理機能がさらに格納されている。さらに、制御部１５には、前記一時集積庫の紙幣の集積枚数が１００枚に到達したとき前記一時集積庫鑑別処理手段を用いて鑑別を行い、前記ポケット部の紙幣が指定枚数に到達して抜き取られたとき前記ポケット部鑑別処理手段を用いて鑑別を行う処理機能が格納されている。具体的には、制御部１５には、前記第１実施形態の処理機能に加えて、図７，８に示すフローチャートの処理機能がさらに格納されている。
【００４３】
（Ｂ−２）紙幣施封整理方法
次に、本実施形態の紙幣施封整理装置を用いた紙幣施封整理方法について説明する。具体的には、この紙幣施封整理方法により、１回の計数業務において同一記番号が発生したかの検出を行う場合の動作を、図７、図８のフローチャートを用いて説明する。
【００４４】
オペレータは、操作表示部１３より、施封する券種（金種／汚損レベル／特定記番号等）と整理する券種の集積先を設定する。次に紙幣を投入部１にセットし、操作部７の計数開始ボタン７ａを押下する。
【００４５】
これにより、制御部１５が計数を開始する（Ｆ６０１）。
【００４６】
計数開始により、取り込まれた紙幣が鑑別部２を通過した際に、鑑別部２でその紙幣の券種等が鑑別される。制御部１５は、その鑑別結果を受信して、指定された券種の集積先を決定する（Ｆ６０２）。
【００４７】
次いで、鑑別部２の受信結果から、鑑別部２で読み込んだ集積先、記番号、金種を一時退避バッファに格納する（Ｆ６０３）。
【００４８】
そして、一時退避バッファの集積先の記番号と同一の記番号が、集積部毎の記番号データ格納バッファ（図６（イ）（ロ））中の同じ集積先のエリア内にないかをチェックし（Ｆ６０４）、
同一記番号があるか否か判定する（Ｆ６０５）。ここで、同一記番号があると判定した場合は、紙幣の集積先を偽紙幣の集積部（リジェクト部またはコピー券集積先）へ変えて、搬送先を変える（Ｆ６０６）。
【００４９】
次いで、装置での計数動作を中断して（Ｆ６０７）、操作表示部１３の画面にコピー券検出の警告メッセージを表示する。（Ｆ６０８）。この警告メッセージの内容には、図５に示すように、コピー券の記番号／金種／集積部／集積上からＮ枚目の情報が含まれる。この警告メッセージを表示して動作を終了する。
【００５０】
一方、Ｆ６０５において、同一記番号がないと判定した場合は、一時退避バッファのデータを、集積部毎の記番号データ格納バッファ（図６（イ）（ロ））の集積枚数目へ記録する（Ｆ６０９）。
【００５１】
次いで、集積先が一時集積庫（一時集積部６ａ〜６ｅ）かポケット部（オープンポケット５又はリジェクトポケット８）かの判定を行う。（Ｆ６１０）。ここで、集積先が一時集積庫と判定した場合は、一時集積庫の集積枚数が１００枚に到達したか否かを判定して（Ｆ６１１）、到達していなければ、Ｆ６０２へ戻り、上述した処理を繰り返す。
【００５２】
一時集積庫の集積枚数が１００枚に到達していれば、上述した施封動作を実施すると共に、施封完了時に、施封束毎の施封日時／施封通番を施封紙帯へ印字する（Ｆ６１２）。
【００５３】
次いで、施封日時／施封通番と、集積部毎の記番号データ格納バッファ（図６（ロ））の施封した一時集積庫の金種／記番号（１枚目〜１００枚目）の情報とを、一取引計数の施封部の記番号データ格納バッファ（図９（イ））ヘ格納する（Ｆ６１３）。次いで、Ｆ６０２に戻って、上述した処理を繰り返す。
【００５４】
また、Ｆ６１１で、一時集積庫の集積枚数が１００枚に到達していないと判定した場合は、Ｆ６０２に戻って、上述した処理を繰り返す。
【００５５】
一方、Ｆ６１０で、集積先がポケット部と判定した場合は、紙幣が指定枚数に到達してオペレータがその紙幣を抜き取ったかを判定する（Ｆ６１４）。ここで、オペレータが紙幣を抜き取っていないと判定した場合は、Ｆ６０２に戻って、上述した処理を繰り返す。
【００５６】
オペレータが紙幣を抜き取ったと判定した場合は、集積部毎の記番号データ格納バッファ（図６（イ））の抜き取られたポケット部の紙幣の金種／記番号（１枚目〜Ｎ枚目）の情報を、一取引計数のポケット部の記番号データ格納バッファ（図８（ロ））ヘ格納する（Ｆ６１５）。次いで、Ｆ６０２に戻って、上述した処理を繰り返す。
【００５７】
次いで、計数業務完了後の偽紙幣検索処理を行う。この偽紙幣検索処理を、図８に基づいて説明する。
【００５８】
計数業務が完了したら、まず、施封部の一時集積庫（一時集積部６ａ〜６ｅ）、または、ポケット部（オープンポケット５又はリジェクトポケット８）に端数があるか否かを判定する（Ｆ７０１）。端数がないと判定した場合は、Ｆ７０４へ進む。
【００５９】
端数があると判定した場合は、紙幣の抜き取りがあるか否かを判定して（Ｆ７０２）、抜き取りがあるまで待つ。
【００６０】
紙幣が抜き取られた場合は、集積部毎の記番号データ格納バッファ（図６（イ）（ロ））の抜き取られた一時集積庫、または、ポケット部の紙幣の金種／記番号（１枚目〜Ｎ枚目）の情報を、一取引計数のポケット部の記番号データ格納バッファ（図９（ロ））ヘ格納する。（Ｆ７０３）。
【００６１】
次いで、一取引計数の施封部の記番号データ格納バッファ（図９（イ））と、一取引計数のポケット部の記番号データ格納バッファ（図９（ロ））のエリア内全てを検索して、同一記番号が複数ないかを検索して（Ｆ７０４）、同一記番号があるか否かを判定する（Ｆ７０５）。ここで、同一記番号がないと判定した場合は、処理を終了する。
【００６２】
同一記番号があると判定した場合は、操作表示部１３の画面にコピー券検出の警告メッセージを表示する。（Ｆ７０６）。この警告メッセージの内容には、施封された紙幣であれば、同一記番号のある場所、施封日時／施封通番／金種／記番号／束内の上からＮ枚目の情報が含まれる。ポケット部に集積した場合は、ポケット部／金種／記番号の情報を画面に表示する。この警告メッセージの一例を図８に示す。
【００６３】
この警告メッセージを表示して処理を終了する。
【００６４】
（Ｂ−３）効果
本実施形態によれば、上述した第１実施形態で検出できなかった、一取引計数業務内でのコピー券の検出が可能になる。
【００６５】
また、コピー券の記番号／金種／施封日時／施封通番／束の上からＮ枚目の表示を画面に表示することで、オペレータがコピー券の所在検索が容易になる。
【００６６】
[第３実施形態]
次に、本発明の第３実施形態に係る紙幣施封整理装置及び紙幣施封整理方法について説明する。
【００６７】
（Ｃ−１）紙幣施封整理装置の構成
本実施形態の紙幣施封整理装置の全体構成は、上述した第１実施形態の紙幣施封整理装置と同様であるため、ここでは、紙幣施封整理装置の構成の説明を省略して、本実施形態に係る発明の特徴部分を中心に説明する。  本実施形態では、制御部１５に、処理時間優先モードとコピー券検出優先モードとを切り替える選択機能を備えた。
【００６８】
具体的には、前記一時退避格納手段としての一時退避バッファに格納した前記記番号を含む鑑別結果を前記記番号データ格納手段としての記番号データ格納バッファに格納して次の鑑別に用いる第１実施形態のコピー券検出機能を作動させるか否かを適宜選択する選択手段としての処理機能を制御部１５に備える。これにより、コピー券検出機能を作動させないで短時間で処理する、業務の処理時間優先モードと、コピー券検出機能を作動させる、コピー券検出優先モードとを切り替える。
【００６９】
また、第１実施形態のコピー券検出機能に、一時集積庫鑑別処理手段及びポケット部鑑別処理手段をさらに用いる第２実施形態のコピー券検出機能を作動させるか否かを適宜選択する選択手段としての処理機能も制御部１５に備える。これにより、このコピー券検出機能を作動させないで短時間で処理する、業務の処理時間優先モードと、コピー券検出機能を作動させる、コピー券検出優先モードとを切り替える。
【００７０】
（Ｃ−２）紙幣施封整理方法
次に、このような構成において、オペレータは、操作表示部１３の装置パラメータ設定の画面で、今回処理するモードを選択する。即ち、コピー券検出機能を実施しない業務の処理時間優先モードと、第１実施形態のコピー券検出機能を作動させるコピー券検出優先モードと、第２実施形態のコピー券検出機能を作動させるコピー券検出優先モードとから、今回処理するモードを選択する。
【００７１】
この選択に基づいて、上述した第１実施形態又は第２実施形態の紙幣施封整理方法が実施される。
【００７２】
（Ｃ−３）効果
以上説明したように、オペレータが、業務時間を優先するかコピー券の検出を優先するかを適宜選択することができる。この結果、作業効率が向上する。
【００７３】
[産業上の利用可能性]
上述した各実施形態では、紙幣施封整理装置を使用した実施例を説明したが、本発明は、紙幣束を作成することができる全ての装置に適用することができる。例えば、金融機関の営業店後方において現金の出し入れを管理する元方現金処理装置等にも、本発明を適用することができる。
【００７４】
なお、本発明の態様は、上述した各実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更、組み合わせおよび部分的削除等が可能である。
【符号の説明】
【００７５】
１：投入部、２：鑑別部、４：表裏反転部、５：オープンポケット、６：集積機構、６ａ〜６ｅ：一時集積部、７：操作部、７ａ：計数開始ボタン、７ｂ：完了ボタン、７ｃ：リセットボタン、７ｄ：状態表示ランプ、８：リジェクトポケット、９：移送機構、１０：紙幣結束機構、１１：放出口、１２：扉、１３：操作表示部、１５：制御部、４０：搬送手段、４１：テープ、４２：印字手段、４３：テープ供給手段、４４：カッタ、１００：紙幣施封整理装置。
【図１】
2014186637.tif 000003
【図２】
2014186637.tif 000004
【図３】
2014186637.tif 000005
【図４】
2014186637.tif 000006
【図５】
2014186637.tif 000007
【図６】
2014186637.tif 000008
【図７】
2014186637.tif 000009
【図８】
2014186637.tif 000010
【図９】
2014186637.tif 000011